(57)【要約】【課題】操作者が表示不要とするメニュー項目等の表示を一時的に削除あるいは選択できないようにできる表示装置およびそれを用いたナビゲーション装置を提供する。【解決手段】ナビゲーション装置１０は、ナビゲーションＥＣＵ１００、センサ１１０、地図や表示文字等のデータを記憶する記憶部１２０、表示画面３０に表示される情報に対して種々の操作を行なうためのナビゲーション操作部２０、および、地図やメニュー等を表示する表示画面３０等から構成されている。表示画面３０上の不要と思われるメニュー項目等の選択対象を視認できないようにグレイアウトさせ、目的の選択対象がわかりやくなり、表示装置上での探索が容易になる。【選択図】図２
2009075014.tif 000002
【特許請求の範囲】
【請求項１】
所定のメニュー項目を表示する表示部と、
前記メニュー項目から個々のメニューを選択するためのメニュー選択操作部と、
前記操作部により選択された特定のメニューの表示が前記表示部において視認できないようにグレイアウトするためのグレイアウト操作部と、
を有することを特徴とする表示装置。
【請求項２】
前記グレイアウト操作部は、前記特定のメニューの内容を表示する文字を消去し、または、前記特定のメニューの表示領域を背景画面と略同一色にすることにより、前記特定のメニューの表示が前記表示部において視認できないようにグレイアウトさせるグレイアウト処理部を有することを特徴とする請求項１に記載の表示装置。
【請求項３】
請求項１または請求項２に記載の表示装置を有することを特徴とするナビゲーション装置。
【発明の詳細な説明】
【技術分野】
【０００１】
本発明は、表示装置およびそれを用いたナビゲーション装置に関する。
【背景技術】
【０００２】
カーナビゲーション装置等には、目的地への走行経路を表示させる表示部が備えられ、その表示部には目的地の選択方法や走行経路探索などを入力するためのメニューが表示される。このメニューは、一般的に階層構造として表示されると共に操作者がメニュー項目を選択しやすいように種々の工夫が施されている。
【０００３】
例えば、表示画面に表示された複数のメニュー項目から任意のメニュー項目を選択するための入力を行う入力装置を備え、複数のメニュー項目を表示画面上に環状に配列して表示するメニュー項目表示手段と、入力装置からの指示により環状に配列して表示された各メニュー項目配置を時計回り又は反時計回りに回転させメニュー項目表示手段に表示させるメニュー項目回転手段とを備え、メニュー項目表示手段は、表示画面上の所定の位置に配置されたメニュー項目を選択項目として表示させるカーナビゲーション装置がある（例えば、特許文献１）。
【０００４】
このカーナビゲーション装置は、表示画面の背景色は明度や彩度の低い色（黒色、暗青色、暗緑色等）で表示され、非選択項目表示領域は表示画面の背景色よりも明度の高い色（白色等）により表示され、選択項目表示領域及び説明表示領域は明度・彩度とも高い色（黄色、赤、橙色等）により表示される。また、選択項目表示領域の表示面積は、非選択項目表示領域の表示面積に比べ若干大きい表示面積とされている。これにより、操作者が、現在選択されている項目を容易に識別しやすくなる。
【特許文献１】特開２０００−２８３７８２号公報
【発明の開示】
【発明が解決しようとする課題】
【０００５】
しかし、従来の表示装置によると、選択項目表示領域及び説明表示領域は明度・彩度とも高い色（黄色、赤、橙色等）により表示され、非選択項目表示領域は表示画面の背景色よりも明度の高い色（白色等）により表示され、また、表示画面の背景色は明度や彩度の低い色（黒色、暗青色、暗緑色等）で表示されることにより、操作者がメニュー項目を見易くする工夫がされてはいるが、操作者にとって必要のないメニュー項目は表示されたままであり、操作者がメニュー項目を迅速に選択するために十分な操作性を有する表示装置ではなかった。
【０００６】
特に、自動車に装備されるカーナビゲーション装置は、操作者がメニュー項目等を迅速に選択する必要があると共に、操作者は主に運転者であり、メニュー項目のうちでよく選択されるメニュー項目はある程度の一定性があるので、不要なメニュー項目等の表示は一時的に削除あるいは選択できないようにメニュー文字が視認できないようにする方が操作性に優れる場合がある。
【０００７】
従って、本発明の目的は、操作者が表示不要とするメニュー項目等の表示を一時的に削除あるいは選択できないようにできる表示装置およびそれを用いたナビゲーション装置を提供することにある。
【課題を解決するための手段】
【０００８】
［１］本発明は、上記目的を達成するため、所定のメニュー項目を表示する表示部と、前記メニュー項目から個々のメニューを選択するためのメニュー選択操作部と、前記操作部により選択された特定のメニューの表示が前記表示部において視認できないようにグレイアウトするためのグレイアウト操作部と、を有することを特徴とする表示装置を提供する。
【０００９】
［２］前記グレイアウト操作部は、前記特定のメニューの内容を表示する文字を消去し、または、前記特定のメニューの表示領域を背景画面と略同一色にすることにより、前記特定のメニューの表示が前記表示部において視認できないようにグレイアウトさせるグレイアウト処理部を有することを特徴とする上記［１］に記載の表示装置であってもよい。
【００１０】
［３］また、本発明は、上記目的を達成するため、上記［１］または［２］に記載の表示装置を有することを特徴とするナビゲーション装置を提供する。
【発明の効果】
【００１１】
本発明の表示装置によれば、メニュー項目のうちで操作者が表示不要とするメニュー項目を一時的に削除あるいは選択できないように表示可能である。また、これを用いたナビゲーション装置を提供することが可能となる。
【発明を実施するための最良の形態】
【００１２】
［本発明の実施の形態］
図１（ａ）は、車両に搭載されたナビゲーション装置を示す概略図であり、図１（ｂ）は、（ａ）に示したナビゲーション操作部の概略図である。図２は、本発明の実施の形態に係るナビゲーション装置の構成ブロック図である。図３は、本発明の実施の形態に係るナビゲーション装置の表示部に表示されるメニュー画面の１例を示す表示画面である。図４は、図３におけるメニュー画面で、目的地の探索方法を選択して決定するフローチャートである。図５は、図３におけるメニュー画面で、一部のメニュー表示がグレイアウトしたことを示す表示画面である。図６（ａ）は、５０音入力による目的地の探索を示す表示画面であり、図６（ｂ）は、（ａ）に示した表示画面のいくつかの５０音名がグレイアウトしたことを示す表示画面である。図７は、図６（ａ）、（ｂ）における目的地の探索表示画面で、目的地を選択して決定するフローチャートである。図８は、５０音入力により目的地が一覧表示される１例を示す表示画面である。
【００１３】
（表示装置およびナビゲーション装置の構成）
図１（ａ）に示すように、本発明の実施の形態に係るナビゲーション装置１０は、車両１の運転席前面部に配置されているインストルメントパネル２に装備されている。ナビゲーション装置１０は、ナビゲーション操作部２０と表示装置としての表示画面３０から大略構成されている。
【００１４】
ナビゲーション操作部２０は、テレビ・メニュー・ナビ（ナビゲーション）画面の切替ボタン２１、リセットボタン２２、目的地設定ボタン２３、表示画面３０に表示される地図画面の縮尺切替スイッチ２４、ファンクションスイッチ２５、表示画面３０に表示されるメニュー等を選択するカーソルを上下左右に移動操作するためのジョイスティック２６、ジョイスティック２６により選択されたメニュー等を決定するためのセットスイッチ２７、および、選択されたメニュー等をグレイアウトさせるためのグレイアウト操作部を構成するグレイアウトスイッチ２８から構成されている。尚、グレイアウトスイッチ２８と上記のグレイアウト処理を主に行なうグレイアウト処理部としてのメニュー項目処理部１０４とを有してグレイアウト操作部が構成されている。ここで、グレイアウトとは、表示画面３０に表示された特定のメニューの内容を表示する文字を消去し、または、特定のメニューの表示領域を背景画面と略同一色にすることにより、特定のメニューの表示が表示画面３０において視認できないようにすることをいう。尚、表示画面３０に表示されるメニューあるいはメニュー項目等とは、表示領域、文字、アイコン、図形等の選択される対象全般をいうものとする。
【００１５】
ナビゲーション装置１０は、図２に示すように、ナビゲーションＥＣＵ１００、センサ１１０（ＧＰＳセンサ１１１、速度センサ１１２、方位センサ１１３）、地図や表示文字等のデータを記憶する記憶部１２０、表示画面３０に表示される情報に対して種々の操作を行なうためのナビゲーション操作部２０、地図やメニュー等を表示する表示画面３０、および、必要に応じて音声で案内するための音声出力部１３０から構成されている。ナビゲーションＥＣＵ１００は、ＣＰＵとしてのナビゲーション情報処理部１０１と各種のセンサ１１０からの信号に基づいて現在位置を算出する現在位置処理部１０２、記憶部１２０に記憶されている地図データから地図画面を生成する地図データ処理部１０３、ナビゲーション操作部２０と記憶部１２０に記憶されているメニュー情報とから表示画面３０に表示するためのメニュー画面を生成するメニュー項目処理部１０４から構成され、ナビゲーション情報処理部１０１は、地図情報やメニュー等を表示画面３０に出力すると共に、必要に応じて音声出力部１３０の音声情報を出力する。
【００１６】
（経路探索の動作）
センサ１１０（ＧＰＳセンサ１１１、速度センサ１１２、方位センサ１１３）からの出力に基づき現在位置処理部１０２が現在位置情報を算出し、これに基づき記憶部１２０から地図データを読み出して地図データ処理部１０３が地図画面を生成する。ナビゲーション情報処理部１０１はこれらの処理をして、図３に示すように、表示画面３０に地図情報を表示する。
【００１７】
（ステップＳ１１）
経路探索のために目的地設定ボタン２３が押されると、図３に示すように、上記の地図情報表示に重畳してメニュー項目３００が表示画面３０に表示される。メニュー項目３００は、目的地設定に関する項目が表示され、初期画面では一番上の「地図から探す」の項目をカーソル３０１が指示している。
【００１８】
（ステップＳ１２〜Ｓ１４）
操作者は、複数のメニュー項目の中で、「地図から探す」、「住所から探す」、および「５０音入力で探す」のメニュー項目は使用する意思があるが、「施設から探す」と「電話番号から探す」のメニュー項目は使用する意思がない。このような場合は、ジョイスティック２６を上または下に操作して使用する意思がないメニュー項目をグレイアウトしておくとリセットボタン２２が押されるまでは不要なメニュー項目を消しておくことができるので複数回の経路探索には便利である。そこで、ジョイスティック２６を上または下に操作しながら使用する意思がないメニュー項目をグレイアウトする。ジョイスティック２６を上方向に操作（Ｓ１２）し、あるいは下方向に操作（Ｓ１３）することで、不要な特定のメニューにカーソル３０１を合わせ、グレイアウトスイッチ２８を押す（Ｓ１４）。グレイアウトスイッチ２８が押されると、ステップＳ１１に戻り、カーソル３０１のあった特定のメニュー項目をグレイアウトした新たなメニュー項目３００を表示画面３０に表示する。この表示は、ナビゲーション情報処理部１０１がメニュー項目処理部１０４を介して記憶部１２０に記憶されているフォント情報等を読み出し、特定のメニュー項目の文字を視認できない態様で新たなメニュー項目３００を作成することにより行なわれる。
【００１９】
上記のジョイスティック操作を繰り返し行なうと、図５に示すような、グレイアウトされたメニュー項目３００が表示される。よく使用する「地図から探す」、「住所から探す」、および「５０音入力で探す」のメニュー項目は視認できるが、その他の２つのメニュー項目はグレイアウト部３０２とされており視認できない。
【００２０】
（ステップＳ１５）
カーソル３０１は、「５０音入力で探す」のメニュー項目に合っており、そこでセットスイッチ２７を押すことにより目的地設定の方法が「５０音入力で探す」に決定されて次の段階に進むことができ、ステップＳ１１〜１５の一連の操作が終了する。
【００２１】
尚、上記の操作でグレイアウトしたメニュー項目は一時的に削除されて視認できない状態となっており、リセットボタン２２を押してグレイアウトを解除するまでは、グレイアウトしたメニュー項目により上記一連の操作を繰り返し行なうことができる。
【００２２】
（５０音入力による目的地探索）
（ステップＳ２１）
ステップＳ１５で選択された「５０音入力で探す」の目的地設定の方法に従って、図６（ａ）に示す５０音入力画面が表示画面３０に表示される。表示画面３０には、「あ」〜「ん」までの５０音が配列され、初期画面では一番右上の「あ」の項目をカーソル３０１が指示している。尚、ファンクションスイッチ２５により、５０音の入力により入力された文字を有する施設名が一覧で表示されるように設定されている。
【００２３】
（ステップＳ２２〜Ｓ２４）
操作者は、５０音入力画面の中で、ジョイスティック２６を上下左右に移動させながら、目的とする施設名を探す。探索中において、明らかに不要を思われる５０音名は、ステップＳ１２〜Ｓ１４に示した操作と同様の操作によりグレイアウト処理をすることができる。すなわち、ジョイスティック２６を上下または左右に操作しながら選択する意思がない５０音名をグレイアウトする。ジョイスティック２６を上下方向に操作（Ｓ２２）し、あるいは左右方向に操作（Ｓ２３）することで、不要な特定の５０音名にカーソル３０１を合わせ、グレイアウトスイッチ２８を押す（Ｓ２４）。グレイアウトスイッチ２８が押されると、ステップＳ２１に戻り、カーソル３０１のあった特定の５０音名をグレイアウトした新たな表示画面３０が更新して表示される。この表示は、ナビゲーション情報処理部１０１がメニュー項目処理部１０４を介して記憶部１２０に記憶されているフォント情報等を読み出し、特定の５０音名を視認できない態様で新たな表示画面３０を作成されることにより行なわれる。
【００２４】
上記のジョイスティック操作を繰り返し行なうと、図６（ｂ）に示すような、不要な５０音名がグレイアウトされた表示画面３０が表示される。選択しないと考えてグレイアウトさせた５０音名は視認できない状態となっている。
【００２５】
（ステップＳ２５）
カーソル３０１は、「つ」の５０音名に合っており、そこでセットスイッチ２７を押すことにより目的地の施設名の頭文字が「つ」に決定されて次の段階に進むことができ、ステップＳ２１〜２５の一連の操作が終了する。
【００２６】
尚、上記の操作でグレイアウトした５０音名は一時的に削除されて視認できない状態となっており、リセットボタン２２を押してグレイアウトを解除するまでは、グレイアウトした表示画面３０により上記一連の操作を繰り返し行なうことができる。
【００２７】
（ステップＳ２６）
ステップＳ２５で選択された頭文字が「つ」である施設名に従って、図８に示す施設名が一覧表示された一覧表３０３が表示画面３０に表示される。
【００２８】
（ステップＳ２７〜Ｓ２８）
操作者は、一覧表３０３の中から、ジョイスティック２６を上下に操作させながら、目的とする施設名を探す。この例では、施設名はある程度絞られた状態で一覧表示されているものとして、ジョイスティック２６による上方向に操作（Ｓ２７）、あるいは下方向に操作（Ｓ２８）を行なっているが、上記示したグレイアウト操作を同様に行なうことも可能である。
【００２９】
（ステップＳ２９）
ジョイスティック操作により、目的とする施設名「ツインレイクゴルフ」にカーソル３０１を合わせ、セットスイッチ２７を押すことにより、経路探索の目的地が選択決定される。
【００３０】
（ステップＳ３０）
上記一連の操作（ステップＳ１１〜Ｓ１５およびステップＳ２１〜Ｓ２９）により、ナビゲーション装置１０により「ツインレイクゴルフ」を目的地とする経路案内がなされる。図示は省略するが、センサ１１０（ＧＰＳセンサ１１１、速度センサ１１２、方位センサ１１３）からの出力に基づき現在位置情報を算出し、これと上記の目的地とから逐次更新される経路案内のナビゲーション画像を表示画面３０に表示する。
【００３１】
（本発明の実施の形態の効果）
上記した本発明の実施の形態に係るナビゲーション装置によると、次のような効果を有する。
（１）ジョイスティック操作による探索中に、不要と思われるメニュー項目等の選択対象を視認できないようにグレイアウトできるので、目的の選択対象がわかりやくなり、表示装置上での探索が容易になる。また、この表示装置を有するナビゲーション装置において、目的地等の探索が容易になる。
（２）グレイアウトされた項目は視認できないので、選択対象であるかどうかの確認を再度する必要がないので、繰り返して探索操作する場合等の操作性が向上する。
（３）グレイアウトされた項目は、一時的に表示画面から削除されているだけなので、リセットボタン２２により、すべてを表示する表示画面に復帰させることが容易に可能である。
【００３２】
なお、本発明は、上記した実施の形態に限定されず、本発明の技術思想を逸脱あるいは変更しない範囲内で種々な変形が可能である。例えば、グレイアウト処理は、選択される対象であるメニュー項目等が視認できないようにすればよく、メニュー内容を示す文字を削除する以外に、メニュー表示領域を塗りつぶし、あるいは、背景と同一色とすることにより不可視とするものでもよい。また、グレイアウトされたメニュー項目等は、視認できないと共に選択できないようにすることによっても、表示画面３０上での探索操作性を向上させることが可能である。
【図面の簡単な説明】
【００３３】
【図１】図１（ａ）は、車両に搭載されたナビゲーション装置を示す概略図であり、図１（ｂ）は、（ａ）に示したナビゲーション操作部の概略図である。
【図２】図２は、本発明の実施の形態に係るナビゲーション装置の構成ブロック図である。
【図３】図３は、本発明の実施の形態に係るナビゲーション装置の表示部に表示されるメニュー画面の１例を示す表示画面である。
【図４】図４は、図３におけるメニュー画面で、目的地の探索方法を選択して決定するフローチャートである。
【図５】図５は、図３におけるメニュー画面で、一部のメニュー表示がグレイアウトしたことを示す表示画面である。
【図６】図６（ｂ）は、（ａ）に示した表示画面のいくつかの５０音名がグレイアウトしたことを示す表示画面である。
【図７】図７は、図６（ａ）、（ｂ）における目的地の探索表示画面で、目的地を選択して決定するフローチャートである。
【図８】図８は、５０音入力により目的地が一覧表示される１例を示す表示画面である。
【符号の説明】
【００３４】
１…車両、２…インストルメントパネル、１０…ナビゲーション装置、２０…ナビゲーション操作部、２１…切替ボタン、２２…リセットボタン、２３…目的地設定ボタン、２４…縮尺切替スイッチ、２５…ファンクションスイッチ、２６…ジョイスティック、２７…セットスイッチ、２８…グレイアウトスイッチ、３０…表示画面、１００…ナビゲーションＥＣＵ、１０１…ナビゲーション情報処理部、１０２…現在位置処理部、１０３…地図データ処理部、１０４…メニュー項目処理部、１１０…センサ、１１１…ＧＰＳセンサ、１１２…速度センサ、１１３…方位センサ、１２０…記憶部、１３０…音声出力部、３００…メニュー項目、３０１…カーソル、３０２…グレイアウト部、３０３…一覧表
【図１】
2009075014.tif 000003
【図２】
2009075014.tif 000004
【図３】
2009075014.tif 000005
【図４】
2009075014.tif 000006
【図５】
2009075014.tif 000007
【図６】
2009075014.tif 000008
【図７】
2009075014.tif 000009
【図８】
2009075014.tif 000010